(57)【要約】【課題】  迷惑メールの被害を回避する通信端末装置を実現する。【解決手段】  受信制限処理において「着信音発生」および「自動消去」をそれぞれオン設定すると、フラグＣＯＮＦ，ＳＯＮＦが各々「１」にセットされる。メール着信処理では、アドレス帳に登録されていないメールアドレスのメールを受信した場合に迷惑メールの着信と見做す。そして、フラグＣＯＮＦ，ＳＯＮＦが各々「１」であると、ステップＳＥ４，ＳＥ６の各判断結果が「ＮＯ」になる結果、着信音を鳴動させず、しかも着信メールを受信ＢＯＸに保存させないようする。これにより、例えば深夜早朝に生じる迷惑メールの着信音鳴動や、迷惑メールと知らずに開封して不愉快な思いをする等の、迷惑メールの被害を回避できる。【選択図】  図８
2005190362.tif 000002
【特許請求の範囲】
【請求項１】
メールを受信するメール受信手段と、
前記メール受信手段により受信されたメールが迷惑メールであるか否かを判別する判別手段と、
前記判別手段により迷惑メールと判別された場合、前記メール受信手段により受信されたメールの着信報知を無効にする無効化手段と
を具備することを特徴とする通信端末装置。
【請求項２】
メールを受信するメール受信手段と、
前記メール受信手段により受信されたメールが迷惑メールであるか否かを判別する判別手段と、
前記判別手段により迷惑メールと判別された場合、前記メール受信手段により受信されたメールを廃棄する廃棄手段と
を具備することを特徴とする通信端末装置。
【請求項３】
メールを受信するメール受信手段と、
前記メール受信手段により受信されたメールが迷惑メールであるか否かを判別する判別手段と、
前記判別手段により迷惑メールと判別された場合、前記メール受信手段により受信されたメールの着信報知を無効にすると共に、その受信されたメールを廃棄する受信制限手段と
を具備することを特徴とする通信端末装置。
【請求項４】
ユーザ操作に応じて登録されたメールアドレスを記憶するアドレス記憶手段と、
メールを受信するメール受信手段と、
前記アドレス記憶手段に記憶されていないメールアドレスのメールを前記メール受信手段が受信した場合に、受信したメールを迷惑メールと判別する判別手段と、
前記判別手段により迷惑メールと判別された場合、前記メール受信手段により受信されたメールの着信報知を無効にすると共に、その受信されたメールを廃棄する受信制限手段と
を具備することを特徴とする通信端末装置。
【請求項５】
メールを受信するメール受信処理と、
前記メール受信処理により受信されたメールが迷惑メールであるか否かを判別する判別処理と、
前記判別処理により迷惑メールと判別された場合、前記メール受信処理で受信されたメールの着信報知を無効にする無効化処理と
をコンピュータで実行させることを特徴とする通信端末処理プログラム。
【請求項６】
メールを受信するメール受信処理と、
前記メール受信処理により受信されたメールが迷惑メールであるか否かを判別する判別処理と、
前記判別処理により迷惑メールと判別された場合、前記メール受信処理で受信されたメールを廃棄する廃棄処理と
をコンピュータで実行させることを特徴とする通信端末処理プログラム。
【請求項７】
メールを受信するメール受信処理と、
前記メール受信処理により受信されたメールが迷惑メールであるか否かを判別する判別処理と、
前記判別処理により迷惑メールと判別された場合、前記メール受信処理で受信されたメールの着信報知を無効にすると共に、その受信されたメールを廃棄する受信制限処理と
をコンピュータで実行させることを特徴とする通信端末処理プログラム。
【請求項８】
メールを受信するメール受信処理と、
予め登録されたメールアドレスと一致しないメールアドレスのメールを前記メール受信処理にて受信した場合に、受信したメールを迷惑メールと判別する判別処理と、
前記判別処理により迷惑メールと判別された場合、前記メール受信処理で受信されたメールの着信報知を無効にすると共に、その受信されたメールを廃棄する受信制限処理と
をコンピュータで実行させることを特徴とする通信端末処理プログラム。
【発明の詳細な説明】
【技術分野】
【０００１】
本発明は、迷惑メールの被害を回避する通信端末装置および通信端末処理プログラムに関する。
【背景技術】
【０００２】
携帯電話に代表される通信端末装置では、通話機能の他にメールを作成して送受信する機能を具備するものが多い。そうした携帯電話の普及に連れて、営業目的で勝手に送り付けられる迷惑メールが社会問題化されている。迷惑メールの受信を拒否する端末装置として、例えば特許文献１には、受信したメールのメールアドレスがアドレス帳に登録されていなかったり、過去に開いたことが無いものであったりすると、ユーザに受信拒否する設定を行うか否かを問い、これに応じてユーザが受信拒否の設定を行った場合に、メール配信するサーバ側に受信拒否する旨を送信して、受信拒否したメールアドレスからのメールあるいは指定ドメイン名からのメールを送信しないように設定させるものが開示されている。
【０００３】
【特許文献１】特開２００３−１９６２１７号公報
【発明の開示】
【発明が解決しようとする課題】
【０００４】
ところで、上記特許文献１に開示の技術のように、受信拒否するメールアドレスやドメイン名をサーバ側に設定して迷惑メールをフィルタリングしても、サーバ側に設定できるフィルタリングの数に限りがある一方で、迷惑メールのメールアドレスが頻繁に変化する現状では完全に排除することが極めて困難になってきている。そして、こうした状況では、例えば深夜・早朝に生じる迷惑メールの着信音鳴動や、迷惑メールと知らずに開封して不愉快な思いをする等の、迷惑メールの被害を回避することが出来ない、という問題がある。
そこで本発明は、このような事情に鑑みてなされたもので、迷惑メールの被害を回避することができる通信端末装置および通信端末処理プログラムを提供することを目的としている。
【課題を解決するための手段】
【０００５】
上記目的を達成するため、請求項１に記載の発明では、メールを受信するメール受信手段と、前記メール受信手段により受信されたメールが迷惑メールであるか否かを判別する判別手段と、前記判別手段により迷惑メールと判別された場合、前記メール受信手段により受信されたメールの着信報知を無効にする無効化手段とを具備することを特徴とする。
【０００６】
請求項２に記載の発明では、メールを受信するメール受信手段と、前記メール受信手段により受信されたメールが迷惑メールであるか否かを判別する判別手段と、前記判別手段により迷惑メールと判別された場合、前記メール受信手段により受信されたメールを廃棄する廃棄手段とを具備することを特徴とする。
【０００７】
請求項３に記載の発明では、メールを受信するメール受信手段と、前記メール受信手段により受信されたメールが迷惑メールであるか否かを判別する判別手段と、前記判別手段により迷惑メールと判別された場合、前記メール受信手段により受信されたメールの着信報知を無効にすると共に、その受信されたメールを廃棄する受信制限手段とを具備することを特徴とする。
【０００８】
請求項４に記載の発明では、ユーザ操作に応じて登録されたメールアドレスを記憶するアドレス記憶手段と、メールを受信するメール受信手段と、前記アドレス記憶手段に記憶されていないメールアドレスのメールを前記メール受信手段が受信した場合に、受信したメールを迷惑メールと判別する判別手段と、前記判別手段により迷惑メールと判別された場合、前記メール受信手段により受信されたメールの着信報知を無効にすると共に、その受信されたメールを廃棄する受信制限手段とを具備することを特徴とする。
【０００９】
請求項５に記載の発明では、メールを受信するメール受信処理と、前記メール受信処理により受信されたメールが迷惑メールであるか否かを判別する判別処理と、前記判別処理により迷惑メールと判別された場合、前記メール受信処理で受信されたメールの着信報知を無効にする無効化処理とをコンピュータで実行させることを特徴とする。
【００１０】
請求項６に記載の発明では、メールを受信するメール受信処理と、前記メール受信処理により受信されたメールが迷惑メールであるか否かを判別する判別処理と、前記判別処理により迷惑メールと判別された場合、前記メール受信処理で受信されたメールを廃棄する廃棄処理とをコンピュータで実行させることを特徴とする。
【００１１】
請求項７に記載の発明では、メールを受信するメール受信処理と、
前記メール受信処理により受信されたメールが迷惑メールであるか否かを判別する判別処理と、前記判別処理により迷惑メールと判別された場合、前記メール受信処理で受信されたメールの着信報知を無効にすると共に、その受信されたメールを廃棄する受信制限処理とをコンピュータで実行させることを特徴としている。
【００１２】
請求項８に記載の発明では、メールを受信するメール受信処理と、予め登録されたメールアドレスと一致しないメールアドレスのメールを前記メール受信処理にて受信した場合に、受信したメールを迷惑メールと判別する判別処理と、前記判別処理により迷惑メールと判別された場合、前記メール受信処理で受信されたメールの着信報知を無効にすると共に、その受信されたメールを廃棄する受信制限処理とをコンピュータで実行させることを特徴とする。
【発明の効果】
【００１３】
請求項１、５に記載の発明によれば、受信したメールが迷惑メールであるか否かを判別し、迷惑メールと判別された場合には、受信したメールの着信報知を無効にするので、例えば深夜・早朝に生じる迷惑メールの着信音鳴動を防ぎ、迷惑メールの被害を回避することができる。
【００１４】
請求項２、６に記載の発明によれば、受信したメールが迷惑メールであるか否かを判別し、迷惑メールと判別された場合には、受信したメールを廃棄するので、迷惑メールと知らずに開封して不愉快な思いをすることを防ぎ、迷惑メールの被害を回避することができる。
【００１５】
請求項３、７に記載の発明によれば、受信したメールが迷惑メールであるか否かを判別し、迷惑メールと判別された場合には、受信したメールの着信報知を無効にすると共に、その受信メールを廃棄するので、深夜・早朝に生じる迷惑メールの着信音鳴動や、迷惑メールと知らずに開封して不愉快な思いをする等の、迷惑メールの被害を回避することができる。
【００１６】
請求項４、８に記載の発明では、例えばアドレス帳などに予め登録されたメールアドレスと一致しないメールアドレスのメールを受信した場合に迷惑メールと判別し、迷惑メールと判別された場合には、受信したメールの着信報知を無効にすると共に、その受信されたメールを廃棄するので、深夜・早朝に生じる迷惑メールの着信音鳴動や、迷惑メールと知らずに開封して不愉快な思いをする等の、迷惑メールの被害を回避することができる。
【発明を実施するための最良の形態】
【００１７】
以下、図面を参照して本発明の実施の一形態による携帯電話について説明する。
Ａ．構成
図１は実施の一形態である携帯電話の構成を示すブロック図である。まず最初に機構的な構成について説明する。携帯電話１は折畳み開閉タイプの本体構造を有し、その本体ケース（図示せず）には、送受信用のアンテナ２、音声発生用のスピーカ３、カラー液晶パネル等から構成される表示部４、キー入力部５、音声入力用のマイク６、着脱自在な記憶媒体でデータの読み出しおよび書き込みが可能なメモリカード７、画像を撮像するカメラ８、着信通知するスピーカ９および振動によって着信通知するバイブレータ１０が設けられている。また、本体ケースは、図示していないが、折畳まれたクローズ状態で表示部４のバックライトをオフし、広げられたオープン状態でバックライトをオンさせる折畳みスイッチを有する。
【００１８】
キー入力部５は、パワーオンオフする電源スイッチ、通話開始／回線断時に操作されるオフフック／オンフックスイッチの他、ダイヤルスイッチと兼用の文字入力スイッチ、表示内容を消去させるクリアスイッチ、アイテム選択用のカーソルスイッチ、カーソルスイッチで選択されたアイテムを決定する決定スイッチ、メール機能を起動させるメールスイッチ、メール編集を指示する編集スイッチ、入力文字を確定する確定スイッチ、サブメニュー画面をポップアップ表示させるサブメニュースイッチおよびメール送信を指示する送信スイッチ等が設けられている。
【００１９】
次に、電気的な構成について説明する。無線送受信部１１は、アンテナ２を介して受信した高周波信号を増幅して次段の無線信号処理部１２に出力する一方、無線信号処理部１２から出力される送信信号を高周波増幅してアンテナ２から輻射する。無線信号処理部１２は、無線送受信部１１によって増幅された高周波信号を復調する一方、制御部１３から供給される送信データを変調した送信信号を発生する。制御部１３は、システムバスを介してコマンドおよびデータの授受を行ってこの装置全体を制御する。本発明の要旨に係わる制御部１３の動作については追って詳述する。加入者情報記憶部１４は、アドレス帳エリア、着信履歴エリア、発信履歴エリアなどで構成されている。
【００２０】
システムＲＯＭ１５は、制御部１３によって実行される通信制御処理のプログラムの他、合成音声データ、種々の初期データおよび各種画面データなどを記憶している。なお、ここで言う通信制御処理のプログラムとは、後述するメインルーチン、メール着信処理、アドレス帳処理、メール機能設定処理および受信制限処理を含む。また、システムＲＯＭ１５に格納される各種画面データとは、後述する各種画面（待受画面、番号入力画面、メールリスト画面、アドレスリスト画面、メール機能リスト画面および受信制限設定画面）を形成するためのデータである。
【００２１】
メモリ１６は、ワーク領域、メール領域およびデータ領域などを備える。メモリ１６のワーク領域には制御部１３が実行する各種処理で使用するレジスタ・フラグデータが一時記憶される。メモリ１６のメール領域は、新規作成エリア、受信メールを保存する受信ＢＯＸおよび送信済みメールを保存する送信ＢＯＸを有する。新規作成エリアには、新規作成メールの宛先、件名、添付データおよび本文をそれぞれ保存する領域（後述の宛先エリア、件名エリア、添付エリアおよび本文エリアに該当）が設けられている。メモリ１６のデータ領域には、例えばカメラ８にて撮像され、待受画面として画面表示される待ち受け画像データ等が格納される。
【００２２】
音声信号処理部１７は、通話中の音声データや合成音声データを音声信号にＤ／Ａ変換してスピーカ３から発音させたり、マイク６から出力される音声信号を音声データにＡ／Ｄ変換して制御部１３に入力したりする。ドライバ１８は、カメラ８のＬＥＤ８１、着信通知用のスピーカ９およびバイブレータ１０を駆動する。ドライバ１９は、制御部１３からの指示に従い表示部４を表示駆動する。ドライバ２０は、制御部１３からの指示に従いメモリカード７に対してデータをリードライトする。メモリカード７は、カメラ８で撮像された画像データ、外部装置から入力した画像データや曲データを記憶可能な容量を備える。パソコンＩ／Ｆ（インタフェース）２１は、ＵＳＢケーブルなどのシリアルインタフェースで接続されるパソコン等の外部機器との間でデータ授受する。
【００２３】
Ｂ．動作
次に、上記構成による携帯電話１の動作として、制御部１３が実行するメインルーチン、メール着信処理、アドレス帳処理、メール機能設定処理および受信制限処理の各動作を図２〜図８を参照して説明する。
【００２４】
（１）メインルーチンの動作
携帯電話１の電源スイッチが操作されてパワーオンされると、制御部１３は図２〜図３に図示するメインルーチンを実行する。メインルーチンが実行されると、制御部１３は図２に示すステップＳＡ１に処理を進め、携帯電話１の各部を初期化するイニシャライズを行う。イニシャライズが完了すると、ステップＳＡ２に進み、メモリ１６に登録される待ち受け画像データと、システムＲＯＭ１５にファクトリープリセットされる待受画面データとを合成して形成した待受画面を表示部４に表示する。次いで、ステップＳＡ３以降では、通話開始を指示するオフフックスイッチ、回線断を指示するオンフックスイッチおよびメール機能の起動を指示するメールスイッチの操作にそれぞれ対応した処理を実行する。以下、各スイッチ操作がオン操作された場合に分けて動作説明する。
【００２５】
ａ．オフフックスイッチがオン操作された場合
ユーザが通話を開始すべくオフフックスイッチをオン操作すると、ステップＳＡ３の判断結果が「ＹＥＳ」になり、ステップＳＡ４に進む。ステップＳＡ４では、表示部４に表示される画面を待受画面から番号入力画面に変更し、この番号入力画面においてユーザが電話番号を入力し終えるまで待機する。そして、電話番号が入力されると、ステップＳＡ５〜ＳＡ６に進み、入力された電話番号に基づき発信および呼出報知を行う。呼出報知に応じて着呼側がオフフックして回線が接続されると、ステップＳＡ７の判断結果が「ＹＥＳ」になり、ステップＳＡ８に進み、通話処理を実行する。
【００２６】
ｂ．オンフックスイッチがオン操作された場合
上記ステップＳＡ８の通話処理中にユーザがオンフックスイッチをオン操作したとする。そうすると、ステップＳＡ９の判断結果が「ＹＥＳ」になり、ステップＳＡ１０に進み、回線を切る終話処理を実行した後、ステップＳＡ２に処理を戻して待受画面表示状態に復帰する。
【００２７】
ｃ．メールスイッチがオン操作された場合
待受画面表示状態でユーザがメールスイッチをオン操作すると、図３に示すステップＳＡ１１の判断結果が「ＹＥＳ」になり、ステップＳＡ１２に進む。ステップＳＡ１２に進むと、制御部１３は表示部４にメールリスト画面を表示する。メールリスト画面とは、図示していないが、例えば「アドレス帳」、「メール作成」および「機能設定」等、メール機能に係わる処理項目を一覧表示する画面である。次いで、ステップＳＡ１３に進むと、メールリスト画面に一覧表示される処理項目の一つを強調表示する。例えば、メールリスト画面におけるデフォルト位置（例えば画面最上位の行）に表示される処理項目を強調表示する。なお、ここで言う強調表示とは、フォーカスされた項目の表示領域の表示色を異ならせる等の表示処理を指す。
【００２８】
次に、ステップＳＡ１４〜ＳＡ１７では、メールリスト画面が表示された状態で行われるカーソルスイッチ、決定スイッチおよび戻るスイッチのオン操作にそれぞれ対応した処理を実行する。すなわち、メールリスト画面に一覧表示される処理項目の内から所望の項目を選択すべくユーザがカーソルスイッチをオン操作すると、ステップＳＡ１４の判断結果が「ＹＥＳ」になり、ステップＳＡ１５に進み、強調表示する位置を移動させる。そして、ユーザが決定スイッチをオン操作すると、ステップＳＡ１６の判断結果が「ＹＥＳ」になり、ステップＳＡ１８に進む。なお、メール機能に係わる処理項目の選択／実行指示を中止する為に戻るスイッチがオン操作された場合には、ステップＳＡ１７の判断結果が「ＹＥＳ」となり、図２に図示するステップＳＡ２に処理を戻して待受画面表示状態に復帰する。
【００２９】
続いて、ステップＳＡ１８〜ＳＡ２２では、上記ステップＳＡ１４〜ＳＡ１６にて選択／実行指示された処理項目を起動する。つまり、カーソルスイッチおよび決定スイッチのオン操作によって選択／実行指示された処理項目が「アドレス帳」の場合には、ステップＳＡ１８の判断結果が「ＹＥＳ」になり、ステップＳＡ１９を介してアドレス帳処理（後述する）を実行した後、ステップＳＡ１２に処理を戻してメールリスト画面表示状態に復帰する。
【００３０】
選択／実行指示された処理項目が「メール作成」の場合には、ステップＳＡ２０の判断結果が「ＹＥＳ」になり、ステップＳＡ２１を介して、新規メールを作成するメール作成処理を実行した後、ステップＳＡ１２に処理を戻してメールリスト画面表示状態に復帰する。
【００３１】
選択／実行指示された処理項目が「機能設定」の場合には、ステップＳＡ２２の判断結果が「ＹＥＳ」になり、ステップＳＡ２３を介してメール機能設定処理（後述する）を実行した後、ステップＳＡ１２に処理を戻してメールリスト画面表示状態に復帰する。
【００３２】
選択／実行指示された処理項目が「アドレス帳」、「メール作成」および「機能設定」以外の場合には、ステップＳＡ２４に進み、その他のメール処理を実行した後、ステップＳＡ１２に処理を戻してメールリスト画面表示状態に復帰する。
【００３３】
（２）アドレス帳処理の動作
次に、図４を参照してアドレス帳処理の動作を説明する。前述したメインルーチンのステップＳＡ１９（図３参照）を介して本処理が実行されると、制御部１３は図４に示すステップＳＢ１に進む。ステップＳＢ１では、例えばアドレス帳に登録された「名前」を一覧表示するアドレスリスト画面（不図示）を表示部４に表示する。次いで、ステップＳＢ２では、アドレスリスト画面に一覧表示される名前の一つ、例えばデフォルト位置として画面最上位の行に表示される「名前」を強調表示する。次いで、ステップＳＢ３以降では、カーソルスイッチ、決定スイッチ、クリアスイッチ、削除スイッチ、新規作成スイッチおよび戻るスイッチの各オン操作に対応した処理を実行する。
【００３４】
カーソルスイッチがオン操作されると、ステップＳＢ３の判断結果が「ＹＥＳ」となり、ステップＳＢ４に進み、強調表示位置を移動させる。そして、決定スイッチがオン操作されると、ステップＳＢ５の判断結果が「ＹＥＳ」となり、ステップＳＢ６に進む。ステップＳＢ６では、カーソルスイッチおよび決定スイッチのオン操作に応じてアドレスリスト画面中で選択／決定された「名前」の登録内容（メールアドレス、電話番号など）をアドレス内容画面に表示する。アドレス内容画面は、クリアスイッチがオン操作されるまで表示される。クリアスイッチがオン操作されると、ステップＳＢ７の判断結果が「ＹＥＳ」になり、ステップＳＢ１に処理を戻してアドレスリスト画面表示状態に復帰する。
【００３５】
削除スイッチがオン操作された場合には、ステップＳＢ８の判断結果が「ＹＥＳ」になり、ステップＳＢ９に進む。ステップＳＢ９では、カーソルスイッチのオン操作に応じてアドレスリスト画面中で選択された「名前」の登録内容を削除した後、ステップＳＢ１に処理を戻してアドレスリスト画面表示状態に復帰する。新規作成スイッチがオン操作された場合には、ステップＳＢ１０の判断結果が「ＹＥＳ」になり、ステップＳＢ１１に進み、アドレス帳に新たに登録する内容（名前、メールアドレスおよび電話番号など）を作成する。そして、新規作成した後に戻るスイッチがオン操作されると、ステップＳＢ１２の判断結果が「ＹＥＳ」となり、本処理を完了させる。
【００３６】
（３）メール機能設定処理の動作
次に、図５を参照してメール機能設定処理の動作を説明する。前述したメインルーチンのステップＳＡ２３（図３参照）を介して本処理が実行されると、制御部１３は図５に示すステップＳＣ１に進み、表示部４にメール機能リスト画面を表示する。メール機能リスト画面とは、図示していないが、例えば後述する「受信制限」の他、「差出人名称設定」や「署名設定」等、メール機能に係わる設定項目を一覧表示する画面である。次いで、ステップＳＣ２に進むと、メール機能リスト画面に一覧表示される設定項目の一つ、例えば画面最上位の行のデフォルト位置に表示される設定項目を強調表示する。
【００３７】
次に、ステップＳＣ３〜ＳＣ６では、メール機能リスト画面が表示された状態で行われるカーソルスイッチ、決定スイッチおよび戻るスイッチのオン操作にそれぞれ対応した処理を実行する。すなわち、メール機能リスト画面に一覧表示される設定項目の内から所望の項目を選択すべくユーザがカーソルスイッチをオン操作すると、ステップＳＣ３の判断結果が「ＹＥＳ」になり、ステップＳＣ４に進み、強調表示する位置を移動させる。そして、ユーザが決定スイッチをオン操作すると、ステップＳＣ５の判断結果が「ＹＥＳ」になり、ステップＳＣ７に進む。なお、メール受信機能に係わる設定項目の選択／実行指示を中止する為に戻るスイッチがオン操作された場合には、ステップＳＣ６の判断結果が「ＹＥＳ」となり、本処理を完了させる。
【００３８】
続いて、ステップＳＣ７〜ＳＣ９では、上記ステップＳＣ３〜ＳＣ５にて選択／実行指示された設定項目に対応した処理を起動する。つまり、カーソルスイッチおよび決定スイッチのオン操作によって選択／実行指示された処理項目が「受信制限」以外の場合には、ステップＳＣ７の判断結果が「ＮＯ」になり、ステップＳＣ８を介してその他の処理を実行した後、上述のステップＳＣ１に処理を戻してメール機能リスト画面表示状態に復帰する。一方、カーソルスイッチおよび決定スイッチのオン操作によって選択／実行指示された処理項目が「受信制限」であると、ステップＳＣ７の判断結果は「ＹＥＳ」となり、ステップＳＣ９を介して受信制限処理（後述する）を実行した後、上述のステップＳＣ１に処理を戻してメール機能リスト画面表示状態に復帰する。
【００３９】
（４）受信制限処理の動作
次に、図６〜図７を参照して受信制限処理の動作を説明する。上述したメール機能設定処理のステップＳＣ９（図５参照）を介して本処理が実行されると、制御部１３は図６に示すステップＳＤ１に進み、表示部４に受信制限設定画面を表示する。受信制限設定画面とは、アドレス帳に登録されていないメールアドレスのメールを受信した場合に行われる受信制限動作を設定するための画面である。具体的には、画面内に「着信音発生」および「自動消去」の表示項目が設けられ、それら項目のオンオフ設定に応じて、「オン」または「オフ」が表示されるようになっている。
【００４０】
後述するように、「着信音発生」をオン設定した場合にはフラグＣＯＮＦが「１」に、オフ設定した場合にはフラグＣＯＮＦが「０」にセットされる。また、「自動消去」をオン設定した場合にはフラグＳＯＮＦが「１」に、オフ設定した場合にはフラグＳＯＮＦが「０」にセットされる。なお、ここで言う「自動消去」とは、アドレス帳に登録されていないメールアドレスのメールを受信した場合に、その受信メールを受信ＢＯＸに格納せずに廃棄する処理を指し、これについては後述のメール着信処理の動作で述べる。
【００４１】
さて、こうした受信制限設定画面が上記ステップＳＤ１にて表示部４に表示されている状態では、表示項目「着信音発生」が表示される。そして、ステップＳＤ２では、フラグＣＯＮＦが「１」、つまり「着信音発生」がオン設定されているかどうかを判断する。フラグＣＯＮＦが「０」であると、判断結果は「ＮＯ」になり、ステップＳＤ３に進み、表示項目「着信音発生」に「オフ」を表示した後、ステップＳＤ５に進む。一方、表示項目「着信音発生」がオン設定されていると、上記ステップＳＤ２の判断結果が「ＹＥＳ」となり、ステップＳＤ４に進み、表示項目「着信音発生」に「オン」を表示した後、ステップＳＤ５に進む。
【００４２】
ステップＳＤ５では、受信制限設定画面内に表示項目「自動消去」を表示する。次いで、ステップＳＤ６では、フラグＳＯＮＦが「１」、つまり「自動消去」がオン設定されているかどうかを判断する。フラグＳＯＮＦが「０」であると、判断結果は「ＮＯ」になり、ステップＳＤ７に進み、表示項目「自動消去」に「オフ」を表示した後、ステップＳＤ９に進む。一方、表示項目「自動消去」がオン設定されていると、上記ステップＳＤ６の判断結果が「ＹＥＳ」となり、ステップＳＤ８に進み、表示項目「自動消去」に「オン」を表示した後、ステップＳＤ９に進む。
【００４３】
続いて、ステップＳＤ９〜ＳＤ１２では、カーソルスイッチのオン操作に応じて表示項目「着信音発生」および「自動消去」のいずれかを強調表示して選択中の表示項目を表す。そして、選択スイッチがオン操作されると、図７に示すステップＳＤ１３の判断結果が「ＹＥＳ」になり、ステップＳＤ１４に進む。ステップＳＤ１４では、表示項目「着信音発生」および「自動消去」のいずれが選択されたかを判断する。以下、「着信音発生」が選択された場合と、「自動消去」が選択された場合とに分けて各場合の動作を説明する。
【００４４】
＜「着信音発生」が選択された場合＞
この場合、ステップＳＤ１５に進み、フラグＣＯＮＦを反転する。次にステップＳＤ１６では、反転されたフラグＣＯＮＦが「１」であるか否かを判断する。反転されたフラグＣＯＮＦが「１」であると、判断結果は「ＹＥＳ」となり、ステップＳＤ１７に進む。ステップＳＤ１７では、表示項目「着信音発生」に「オン」を表示し、続くステップＳＤ１８では、表示項目「自動消去」を表示した後、ステップＳＤ２１に進む。一方、反転されたフラグＣＯＮＦが「０」であれば、上記ステップＳＤ１６の判断結果は「ＮＯ」になり、ステップＳＤ１９に進む。ステップＳＤ１９では、表示項目「着信音発生」に「オフ」を表示し、続くステップＳＤ１８では、表示項目「自動消去」を消去した後、ステップＳＤ２１に進む。こうして「着信音発生」についてオン設定あるいはオフ設定し終えた後に、決定スイッチがオン操作されると、ステップＳＤ２１の判断結果が「ＹＥＳ」となり、本処理を完了させる。
【００４５】
＜「自動消去」が選択された場合＞
この場合、ステップＳＤ２２に進み、フラグＳＯＮＦを反転する。次にステップＳＤ２３では、反転されたフラグＳＯＮＦが「１」であるか否かを判断する。反転されたフラグＳＯＮＦが「１」であると、判断結果は「ＹＥＳ」となり、ステップＳＤ２４に進み、表示項目「自動消去」に「オン」を表示した後、ステップＳＤ２１に進む。一方、反転されたフラグＳＯＮＦが「０」であれば、上記ステップＳＤ２３の判断結果が「ＮＯ」になり、ステップＳＤ２５に進み、表示項目「自動消去」に「オフ」を表示にした後、ステップＳＤ２１に進む。こうして「自動消去」についてオン設定あるいはオフ設定し終えた後に、決定スイッチがオン操作されると、ステップＳＤ２１の判断結果が「ＹＥＳ」となり、本処理を完了させる。
【００４６】
（５）メール着信処理の動作
次に、図８を参照してメール着信処理の動作を説明する。前述したメインルーチンを実行中にメール着信があると、制御部１３は図８に示すメール着信処理を割込み実行してステップＳＥ１に処理を進め、受信メールのメールアドレスがアドレス帳に登録されていないかどうかを判断する。アドレス帳に登録されたメールアドレスのメールを受信すると、判断結果は「ＮＯ」になり、ステップＳＥ２に進み、受信メールをメモリ１６の受信ＢＯＸにストアした後、ステップＳＥ３に進み、一定時間メール着信報知を行ってから本処理を完了させる。
【００４７】
一方、アドレス帳に登録されていないメールアドレスのメールを受信した場合には、上記ステップＳＥ１の判断結果が「ＹＥＳ」になり、ステップＳＥ４に進む。ステップＳＥ４では、フラグＳＯＮＦが「０」、つまり「自動消去」がオフ設定されているかどうかを判断する。「自動消去」がオフ設定されていると、判断結果は「ＹＥＳ」になり、ステップＳＥ５に進み、受信メールをメモリ１６の受信ＢＯＸにストアする。これに対し、「自動消去」がオン設定されていると、上記ステップＳＥ４の判断結果は「ＮＯ」となり、アドレス帳に登録されていないメールアドレスの受信メールを受信ＢＯＸに格納せずに廃棄する自動消去が行われる。
【００４８】
次いで、ステップＳＥ６では、フラグＣＯＮＦが「０」、つまり「着信音発生」がオフ設定されているかどうかを判断する。「着信音発生」がオフ設定されていると、判断結果は「ＹＥＳ」になり、ステップＳＥ７に進み、一定時間メール着信報知を行ってから本処理を完了させる。一方、「着信音発生」がオン設定されていると、上記ステップＳＥ６の判断結果は「ＮＯ」となり、アドレス帳に登録されていないメールアドレスの受信メールについては着信報知しないようになっている。
【００４９】
以上説明したように、本実施の形態によれば、受信制限処理において「着信音発生」および「自動消去」をそれぞれオン設定しておけば、アドレス帳に登録されていないメールアドレスのメールを受信した場合、迷惑メールの着信と見做して着信音を鳴動させず、しかも着信メールを受信ＢＯＸに保存させないようにしたので、例えば深夜早朝に生じる迷惑メールの着信音鳴動や、迷惑メールと知らずに開封して不愉快な思いをする等の、迷惑メールの被害を回避することが可能になっている。
【００５０】
なお、上述した実施の形態では、アドレス帳に登録されていないメールアドレスのメールを受信した場合に迷惑メールと見做すようにしているが、これに限らず、例えば受信ＢＯＸに保存されたメールから着信メールアドレスリストを形成し、この着信メールアドレスリストに登録されていないメールアドレスのメールを受信した場合に迷惑メールと見做すようにしても構わない。
また、本実施形態では、「自動消去」設定されている場合に迷惑メールが着信すると、受信ＢＯＸに保存させずに廃棄するが、これに替えて、迷惑メールと見做されたメールであっても一旦受信ＢＯＸに保存しておき、メール内容を表示する際に迷惑メールと見做されたメールについては本文を表示せず、件名およびメールアドレスだけを表示する態様としてもよい。このようにすれば、迷惑メールと知らずに開封して不愉快な思いをしてしまうという弊害を回避できる上、必要なメールを誤って迷惑メールと見做した場合のリカバリーが可能になる。
【図面の簡単な説明】
【００５１】
【図１】本発明による実施の一形態の構成を示すブロック図である。
【図２】メインルーチンの動作を示すフローチャートである。
【図３】メインルーチンの動作を示すフローチャートである。
【図４】アドレス帳処理の動作を示すフローチャートである。
【図５】メール機能設定処理の動作を示すフローチャートである。
【図６】受信制限処理の動作を示すフローチャートである。
【図７】受信制限処理の動作を示すフローチャートである。
【図８】メール着信処理の動作を示すフローチャートである。
【符号の説明】
【００５２】
１  携帯電話
２  アンテナ
３  スピーカ
４  表示部
５  キー入力部
６  マイク
７  メモリカード
８  カメラ
９  スピーカ
１０  バイブレータ
１１  無線送受信部
１２  無線信号処理部
１３  制御部
１４  加入者情報記憶部
１５  システムＲＯＭ
１６  メモリ
１７  音声信号処理部
１８〜２０  ドライバ
２１  パソコンインタフェース
【図１】
2005190362.tif 000003
【図２】
2005190362.tif 000004
【図３】
2005190362.tif 000005
【図４】
2005190362.tif 000006
【図５】
2005190362.tif 000007
【図６】
2005190362.tif 000008
【図７】
2005190362.tif 000009
【図８】
2005190362.tif 000010